(57)【要約】【課題】効率良く両替処理を実施すること。【解決手段】貨幣が投入された場合にこれを鑑別して収納庫に収納する一方、出金指令が与えられた場合にはこの出金指令に該当する金額の貨幣を収納庫から払い出す制御手段を備えた金銭処理装置において、制御手段からの表示指令に従って外部表示を行う表示手段と、制御手段に対して選択指令を与える入力手段とを備え、制御手段は、所定の単体動作指令が与えられた場合、高額金種から低額金種への等価払い出しを行う順両替処理と、低額金種から高額金種への等価払い出しを行う逆両替処理とを選択するための選択情報を表示手段に表示し、入力手段を通じて選択指令が与えられた場合に該当する一方の両替処理を実施する。【選択図】        図６
2010039584.tif 000002
【特許請求の範囲】
【請求項１】
貨幣が投入された場合にこれを鑑別して収納庫に収納する一方、出金指令が与えられた場合にはこの出金指令に該当する金額の貨幣を収納庫から払い出す制御手段を備えた金銭処理装置において、
前記制御手段からの表示指令に従って外部表示を行う表示手段と、
前記制御手段に対して選択指令を与える選択入力手段と
を備え、前記制御手段は、所定の単体動作指令が与えられた場合、高額金種から低額金種への等価払い出しを行う順両替処理と、低額金種から高額金種への等価払い出しを行う逆両替処理とを選択するための選択情報を前記表示手段に表示し、前記選択入力手段を通じて選択指令が与えられた場合に該当する一方の両替処理を実施することを特徴とする金銭処理装置。
【請求項２】
前記制御手段は、前記単体動作指令が与えられた後に貨幣が投入された場合、投入された貨幣に対して異なる金種の組み合せで等価となる出金金種情報を前記選択情報とともに前記表示手段に表示し、前記選択入力手段を通じて選択指令が与えられた場合に当該選択された選択情報とともに表示した出金金種情報の組み合せで前記収納庫から貨幣の出金を行うことを特徴とする請求項１に記載の金銭処理装置。
【請求項３】
前記表示手段は、金種毎に該当するか否かの表示を行う該当表示部を備え、
前記制御手段は、それぞれの該当表示部に対する表示の有無によって前記出金金種情報を表示することを特徴とする請求項２に記載の金銭処理装置。
【請求項４】
前記表示手段は、金種毎に個別の数値表示を行う数値表示部を備え、
前記制御手段は、それぞれの数値表示部に数値を表示することによって前記出金金種情報を表示することを特徴とする請求項２に記載の金銭処理装置。
【請求項５】
前記表示手段は、文字表示を行う文字表示部を備え、
前記制御手段は、前記出金金種情報を表示する場合に当該出金金種情報が、硬貨のみによるものか、あるいは紙幣のみによるものか、あるいは硬貨と紙幣との組み合せによるものかを前記文字表示部に表示することを特徴とする請求項２に記載の金銭処理装置。
【請求項６】
前記制御手段は、前記収納庫に収納された貨幣の金種及び枚数に応じて出金可能な出金金種情報を抽出し、該抽出した出金金種情報を前記表示手段に表示することを特徴とする請求項２に記載の金銭処理装置。
【発明の詳細な説明】
【技術分野】
【０００１】
本発明は、ＰＯＳ（Ｐｏｉｎｔ  Ｏｆ  Ｓａｌｅｓ）レジスタ等の外部機器に接続され、貨幣が投入された場合にこれを鑑別して収納庫に収納する一方、外部機器から出金指令が与えられた場合にはこの出金指令に該当する金額の貨幣を収納庫から払い出す制御手段を備えた金銭処理装置に関するもので、特に、順両替処理及び逆両替処理を実施することのできる金銭処理装置に関する。
【背景技術】
【０００２】
この種の従来技術としては、例えば特許文献１に記載のものが既に提供されている。この金銭処理装置は、ＰＯＳレジスタに釣銭機として接続されたものである。通常において金銭処理装置は、買い物客から受け取った貨幣を投入した場合、これを鑑別して収納庫に収納する一方、ＰＯＳレジスタからの出金指令に従って収納庫から釣銭となる貨幣の払い出しを行う。
【０００３】
また、この金銭処理装置では、動作モードを切り替えることにより、順両替処理及び逆両替処理を実施することができる。順両替処理では、高額金種から低額金種への等価払い出しを行い、逆両替処理では、低額金種から高額金種への等価払い出しを行う。
【０００４】
【特許文献１】特開２００５−４３４６号公報
【発明の開示】
【発明が解決しようとする課題】
【０００５】
ところで、特許文献１に記載された金銭処理装置では、投入された貨幣の数に応じて順両替処理と逆両替処理とを切り替えるようにしている。すなわち、投入貨幣が単数であった場合には、順両替処理が選択され、投入貨幣よりも低額金種の貨幣が複数枚払い出されることになる。これに対して投入貨幣が複数であった場合には、逆両替処理が選択され、投入貨幣よりも高額金種の貨幣が払い出される。
【０００６】
こうした金銭処理装置にあっては、１０００円紙幣１枚を１００円硬貨１０枚に交換する場合、単に１０００円紙幣を投入すれば良い。しかしながら、例えば１０００円紙幣５枚をそれぞれ１００円硬貨に交換する場合、１枚目に投入した１０００円紙幣の順両替処理が終了した時点で２枚目の１０００円紙幣を投入し、次いで２枚目に投入した１０００円紙幣の順両替処理が終了した時点で３枚目の１０００円紙幣を投入し…という操作を５回繰り返さなければならず、必ずしも効率が良いとはいえない。しかも、上述した仕組みを知らずに１０００円紙幣５枚を続けて投入した場合には、金銭処理装置から意図せぬ５０００円紙幣が１枚だけ払い出される結果となり、利用者に不信感や煩雑感を与える恐れがある。
【０００７】
本発明は、上記実情に鑑みて、効率良く両替処理を実施することのできる金銭処理装置を提供することを目的とする。
【課題を解決するための手段】
【０００８】
上記目的を達成するため、本発明の請求項１に係る金銭処理装置は、貨幣が投入された場合にこれを鑑別して収納庫に収納する一方、出金指令が与えられた場合にはこの出金指令に該当する金額の貨幣を収納庫から払い出す制御手段を備えた金銭処理装置において、前記制御手段からの表示指令に従って外部表示を行う表示手段と、前記制御手段に対して選択指令を与える選択入力手段とを備え、前記制御手段は、所定の単体動作指令が与えられた場合、高額金種から低額金種への等価払い出しを行う順両替処理と、低額金種から高額金種への等価払い出しを行う逆両替処理とを選択するための選択情報を前記表示手段に表示し、前記選択入力手段を通じて選択指令が与えられた場合に該当する一方の両替処理を実施することを特徴とする。
【０００９】
また、本発明の請求項２に係る金銭処理装置は、上述した請求項１において、前記制御手段は、前記単体動作指令が与えられた後に貨幣が投入された場合、投入された貨幣に対して異なる金種の組み合せで等価となる出金金種情報を前記選択情報とともに前記表示手段に表示し、前記選択入力手段を通じて選択指令が与えられた場合に当該選択された選択情報とともに表示した出金金種情報の組み合せで前記収納庫から貨幣の出金を行うことを特徴とする。
【００１０】
また、本発明の請求項３に係る金銭処理装置は、上述した請求項２において、前記表示手段は、金種毎に該当するか否かの表示を行う該当表示部を備え、前記制御手段は、それぞれの該当表示部に対する表示の有無によって前記出金金種情報を表示することを特徴とする。
【００１１】
また、本発明の請求項４に係る金銭処理装置は、上述した請求項２において、前記表示手段は、金種毎に個別の数値表示を行う数値表示部を備え、前記制御手段は、それぞれの数値表示部に数値を表示することによって前記出金金種情報を表示することを特徴とする。
【００１２】
また、本発明の請求項５に係る金銭処理装置は、上述した請求項２において、前記表示手段は、文字表示を行う文字表示部を備え、前記制御手段は、前記出金金種情報を表示する場合に当該出金金種情報が、硬貨のみによるものか、あるいは紙幣のみによるものか、あるいは硬貨と紙幣との組み合せによるものかを前記文字表示部に表示することを特徴とする。
【００１３】
また、本発明の請求項６に係る金銭処理装置は、上述した請求項２において、前記制御手段は、前記収納庫に収納された貨幣の金種及び枚数に応じて出金可能な出金金種情報を抽出し、該抽出した出金金種情報を前記表示手段に表示することを特徴とする。
【発明の効果】
【００１４】
本発明によれば、利用者が実施すべき両替処理を選択することができるため、投入する貨幣の数に関わらず意図した両替処理が実施されることになり、利用者に不信感や煩雑感を与える恐れがない。しかも、例えば１０００円紙幣５枚をそれぞれ１００円硬貨に交換する場合には、順両替処理を選択すれば、１０００円紙幣をまとめて５枚投入した場合にも５０００円分の１００円硬貨が払い出されることになり、効率良く両替処理を実施することができるようになる。
【発明を実施するための最良の形態】
【００１５】
以下に添付図面を参照して、本発明に係る金銭処理装置の好適な実施の形態について詳細に説明する。尚、以下においては、高額金種から低額金種への等価払い出しを順両替と称する一方、低額金種から高額金種への等価払い出しを逆両替と称し、単に両替と称した場合には順両替及び逆両替の双方を含むものとして説明を行う。
【００１６】
図１−１及び図１−２は、本発明の実施の形態である金銭処理装置の外観を概念的に示したものである。ここで例示する金銭処理装置は、スーパーマーケット等の店舗においてＰＯＳレジスタ等の外部機器に接続される釣銭機として用いられるもので、直方体状を成す装置本体１を備えている。
【００１７】
装置本体１は、横巾及び奥行寸法に対して高さ寸法を小さく構成した比較的薄型のもので、その前方部に硬貨投入口１１、硬貨出金口１２、紙幣投入口２１、紙幣出金口２２を有している。
【００１８】
硬貨投入口１１は、投入された硬貨を装置本体１の内部に受け入れるための開口であり、装置本体１の上面に設けてある。硬貨投入口１１から投入された硬貨は、図示せぬ硬貨搬送機構によって搬送され、かつ図示せぬ硬貨鑑別センサによって金種が鑑別された後、金種別に硬貨収納庫１０に収納されることになる。硬貨出金口１２は、硬貨収納庫１０から払い出された硬貨を装置本体１の外部に排出するための開口であり、装置本体１の前面に設けた受け皿１３の上方部に設けてある。
【００１９】
紙幣投入口２１は、投入された紙幣を装置本体１の内部に受け入れるための開口であり、装置本体１の前面に設けてある。紙幣投入口２１から投入された紙幣は、図示せぬ紙幣搬送機構によって搬送され、かつ図示せぬ紙幣鑑別センサによって金種が鑑別された後、金種別に紙幣収納庫２０に収納されることになる。紙幣出金口２２は、紙幣収納庫２０から払い出された紙幣を装置本体１の外部に排出するための開口であり、装置本体１の前面において紙幣投入口２１よりも下方となる部位に設けてある。
【００２０】
図１−１及び図１−２からも明らかなように、本実施の形態では、硬貨収納庫１０及び紙幣収納庫２０が別個に用意してあり、装置本体１の内部に並設してある。
【００２１】
また、装置本体１の前方部上面には、表示手段３０及び入力手段（選択入力手段）４０が設けてある。表示手段３０は、利用者に対して各種表示を行うためのものである。本実施の形態では、図２に示すように、数値表示部（該当表示部）３１及び文字表示部３２を備えた表示手段３０を適用している。数値表示部３１は、数字を表示することのできる７セグメント表示器を左右方向に沿って複数並設することにより構成したものである。７セグメント表示器の数は、金銭処理装置で取り扱う金種に対応したものである。本実施の形態では、正面向かって左側から１００００円紙幣、５０００円紙幣、１０００円紙幣、５００円硬貨、１００円硬貨、５０円硬貨、１０円硬貨、５円硬貨、１円硬貨に対応した９個の７セグメント表示器によって数値表示部３１が構成してある。文字表示部３２は、文字を表示することのできる矩形状のドットマトリックス表示器によって構成したもので、数値表示部３１よりも手前側となる部位に配設してある。入力手段４０は、利用者が各種指令を入力するためのものである。本実施の形態では、３×４＝１２個の押ボタンスイッチによって入力手段４０が構成してある。これらの押ボタンスイッチには、例えば表示内容を上下にスクロールさせるための「△」スイッチ４１及び「▽」スイッチ４２、指令を出力するための「実行」スイッチ４３、指令を取り消すための「取消」スイッチ４４等々、各種機能スイッチが用意してある。尚、それぞれの機能スイッチには、一つずつ数字が割り当ててあり、数値を入力することも可能である。
【００２２】
図３は、上述した金銭処理装置の制御系を示すブロック図である。図３に示す制御手段１００は、入力手段４０を通じて指令が与えられた場合、あるいは硬貨鑑別センサ１５、紙幣鑑別センサ２５から検出信号が与えられた場合、メモリ１１０に格納したプログラムや初期データに基づいて表示手段３０の表示制御、硬貨搬送機構１６の駆動制御、紙幣搬送機構２６の駆動制御を行うものである。図からも明らかなように、制御手段１００は、通信制御部１０１、表示制御部１０２、入力制御部１０３、搬送制御部１０４、入出金管理部１０５、メニュー管理部１０６、等価判定部１０７を有している。
【００２３】
通信制御部１０１は、通信インターフェース１１２を介して接続されたＰＯＳレジスタ２００との間においてデータの送受信制御を行うものである。表示制御部１０２は、表示手段３０に対して表示指令を与えることによって表示手段３０に所望の表示を行う等、表示手段３０の表示制御を行うものである。入力制御部１０３は、入力手段４０が操作された場合にこれに対応する指令を各部に与えるものである。搬送制御部１０４は、硬貨搬送機構１６、紙幣搬送機構２６の駆動を制御するものである。例えば、硬貨投入口１１及び紙幣投入口２１から貨幣が投入された場合、これを装置本体１の内部に取り込んだ後、硬貨鑑別センサ１５や紙幣鑑別センサ２５の鑑別結果に従って該当する金種の収納庫１０，２０に貨幣を収納するように硬貨搬送機構１６や紙幣搬送機構２６の駆動制御を行う。入出金管理部１０５は、硬貨鑑別センサ１５、紙幣鑑別センサ２５を監視し、これらの鑑別センサ１５，２５によって検出される入出金額と、予めメモリ１１０に格納された硬貨収納庫１０、紙幣収納庫２０の初期収納金額とから現在のそれぞれの収納庫１０，２０に対する貨幣の収納金額を管理するものである。また、この入出金管理部１０５は、ＰＯＳレジスタ２００から出金指令が与えられた場合、出金指令に対応した貨幣を硬貨出金口１２及び紙幣出金口２２から払い出す制御も行う。メニュー管理部１０６は、入力手段４０を通じて与えられた指令や硬貨鑑別センサ１５、紙幣鑑別センサ２５の検出結果に従ってメニューを抽出し、該抽出したメニューを表示手段３０に表示させるべく表示制御部１０２に表示データを与えるものである。また、メニュー管理部１０６は、入力手段４０を通じて優先して払い出す金種が予め設定された場合、この設定された金種を含むメニューの表示順位を早くする等、優先表示するための処理を行う。等価判定部１０７は、両替処理を行う場合に硬貨鑑別センサ１５、紙幣鑑別センサ２５を監視し、これらの鑑別センサによって検出される入出金額が等価であるか否かを判定するものである。
【００２４】
（メイン処理）
図４は、上述した制御手段１００が繰り返し実施するメイン処理の内容を示したフローチャートである。以下、このフローチャートを参照しながら、金銭処理装置の動作について説明する。
【００２５】
金銭処理装置が起動している場合、図４に示すように、制御手段１００は、常に入力制御部１０３を通じて入力手段４０からモード切替操作（単体動作指令）が入力されたか否かを監視している（ステップＳ１）。モード切替操作とは、釣銭機としてＰＯＳレジスタ２００に接続された金銭処理装置を両替機として使用する場合に行う操作である。本実施の形態では、予め入力手段４０の一要素として用意された２つの押ボタンスイッチ、具体的には「補充」スイッチ４５と「回収」スイッチ４６とを同時に押圧操作した場合にモード切替操作が入力されたと判断するように設定してある。
【００２６】
モード切替操作が入力されなかった場合（ステップＳ１：Ｎｏ）、制御手段１００は、金銭処理装置を釣銭機として動作させるべく、釣銭モード処理を実施する（ステップＳ１００）。
【００２７】
一方、メイン処理のステップＳ１において入力手段４０からモード切替操作が入力されると（ステップＳ１：Ｙｅｓ）、制御手段１００は、貨幣両替モード処理を実施する（ステップＳ２００）。制御手段１００は、貨幣両替モード処理が終了した場合、モード切替操作をクリアする処理を実施し、その後に手順をリターンさせる（ステップＳ２）。従って、次回実施されるステップＳ１においては、新たなモード切替操作が入力されない限り、釣銭モード処理が実施され（ステップＳ１：Ｎｏ→ステップＳ１００）、金銭処理装置が釣銭機として動作することになる。
【００２８】
（釣銭モード処理）
図５は、上述した釣銭モード処理の内容を示すフローチャートである。この釣銭モード処理において制御手段１００は、まず、通信制御部１０１を通じてＰＯＳレジスタ２００からの入金許可指令を監視する（ステップＳ１０１）。ＰＯＳレジスタ２００から入金許可指令が与えられなかった場合、制御手段１００は、手順を後述のステップＳ１０９に移行させる（ステップＳ１０１：Ｎｏ→ステップＳ１０９）。
【００２９】
一方、ＰＯＳレジスタ２００から入金許可指令が与えられた場合（ステップＳ１０１：Ｙｅｓ）、制御手段１００は、入金許可状態となり（ステップＳ１０２）、その後、入出金管理部１０５を通じて硬貨投入口１１及び紙幣投入口２１からの入金を監視する（ステップＳ１０３）。
【００３０】
硬貨投入口１１や紙幣投入口２１からの入金を確認した場合（ステップＳ１０３：Ｙｅｓ）、制御手段１００は、硬貨鑑別センサ１５及び紙幣鑑別センサ２５を通じて投入された貨幣の鑑別を行い（ステップＳ１０４）、入出金管理部１０５を通じて鑑別結果を入金額情報として取得する。尚、入金がなかった場合（ステップＳ１０３：Ｎｏ）、制御手段１００は、ステップＳ１０４を経ることなく手順を進める。
【００３１】
次いで、制御手段１００は、通信制御部１０１を通じてＰＯＳレジスタ２００からの入金額要求があるか否かを監視し（ステップＳ１０５）、入金額要求が与えられた場合（ステップＳ１０５：Ｙｅｓ）、通信制御部１０１を通じて入金額情報をＰＯＳレジスタ２００に送信する処理を実施する（ステップＳ１０６）。尚、入金額要求がない場合（ステップＳ１０５：Ｎｏ）、制御手段１００は、ステップＳ１０６を経ることなく手順を進める。
【００３２】
その後、制御手段１００は、ＰＯＳレジスタ２００からの終了指令受信待機状態となり（ステップＳ１０７）、終了指令を受信するまでの間、上述したステップＳ１０３〜ステップＳ１０７の処理を繰り返し実施する。
【００３３】
上述した状況は、例えば、ＰＯＳレジスタ２００において買い上げ品の登録が終了し、その合計金額以上の貨幣を買い物客から預かったレジ担当者がこれを金銭処理装置に投入した場面である。買い上げ品の登録が終了した時点でＰＯＳレジスタ２００から金銭処理装置の制御手段１００に対して入金許可指令が与えられる。金銭処理装置から入金額情報を受信したＰＯＳレジスタ２００では、（釣銭）＝（入金額）−（買上額）が算出され、釣銭がある場合には釣銭に対応する出金指令が終了指令とともに金銭処理装置に出力されることになる。
【００３４】
ステップＳ１０７においてＰＯＳレジスタ２００から終了指令を受信した金銭処理装置の制御手段１００は（ステップＳ１０７：Ｙｅｓ）、入金禁止状態となる（ステップＳ１０８）。さらに、制御手段１００は、通信制御部１０１を通じてＰＯＳレジスタ２００からの出金指令があるか否かを監視し（ステップＳ１０９）、出金指令が与えられた場合（ステップＳ１０９：Ｙｅｓ）、搬送制御部１０４を介して硬貨収納庫１０や紙幣収納庫２０に収納された貨幣を釣銭として払い出す処理を実施し（ステップＳ１１０）、今回の処理を終了する。尚、硬貨出金口１２や紙幣出金口２２から払い出された貨幣は、レジ担当者により、ＰＯＳレジスタ２００から出力されたレシートとともに買い物客に手渡される。
【００３５】
以降、モード切替操作が実施されるまで、上述した釣銭モード処理が繰り返し実施され、金銭処理装置が釣銭機として適用されることになる。
【００３６】
（貨幣両替モード処理）
図６は、上述した貨幣両替モード処理の内容を示すフローチャートである。この貨幣両替モード処理において制御手段１００は、まず、変数ｎに「１」を代入する処理を実施し（ステップＳ２０１）、その後、入出金管理部１０５を通じて硬貨投入口１１及び紙幣投入口２１からの入金を監視する（ステップＳ２０２）。
【００３７】
硬貨投入口１１や紙幣投入口２１からの入金を確認すると（ステップＳ２０２：Ｙｅｓ）、制御手段１００は、硬貨鑑別センサ１５及び紙幣鑑別センサ２５を通じて投入された貨幣の鑑別を行い、入出金管理部１０５を通じて鑑別結果を入金額情報として取得する（ステップＳ２０３）。さらに、制御手段１００は、入出金管理部１０５を通じて払い出し可能な金種の抽出を行う（ステップＳ２０４）。具体的には、入出金管理部１０５によってメモリ１１０に格納された、現時点で硬貨収納庫１０に収納されている硬貨の金種とその収納数の情報、並びに紙幣収納庫２０に収納されている紙幣の金種とその収納数の情報を読み出す処理を実施し、これらに基づいて払い出し可能な金種を設定する。この場合、予め閾値（≠０）を設定しておき、閾値を下回る収納数の貨幣に関しては、払い出し可能な金種として設定しないようにしても良い。
【００３８】
払い出し可能な金種を抽出した制御手段１００は、これらの金種から入金された貨幣に対して異なる組み合せで等価となる出金金種情報を設定し（ステップＳ２０５）、さらに設定した出金金種情報のうち、ｎ番目の出金金種情報（今回は１番目の出金金種情報）を表示手段３０にメニューとして表示する処理を行い（ステップＳ２０６）、その後、入力手段４０からの入力待ちとなる（ステップＳ２０７、ステップＳ２０８、ステップＳ２０９）。
【００３９】
ここで制御手段１００が設定・表示する出金金種情報は、入金された貨幣に対して金種が異なる組み合せで等価となるものであり、入金された貨幣よりも低額金種の組み合せ（順両替）及び入金された貨幣よりも高額金種の組み合せ（逆両替）の双方となる。順両替及び逆両替のいずれにあっても複数種類の組み合せが存在し、かつ入出金管理部１０５によって払い出し可能な金種として抽出されたものである場合には、それらすべての表示を一つずつ行う。
【００４０】
表示を行う順番については、メニュー管理部１０６を通じて適宜処理し、例えば抽出したすべての出金金種情報を過去の選択頻度順に並べてこれを先頭から順に表示すれば良い。また、予め入力手段４０を通じて優先して払い出す金種が設定された場合、この設定された金種を含むメニューの表示順位を早くするようにしても良い。
【００４１】
図７−１〜図７−３は、それぞれ制御手段１００によって表示制御された出金金種情報の表示例を示したものである。尚、この表示例についてだけは、高額金種から低額金種への等価払い出しを単に「リョウガエ」と記載し、低額金種から高額金種への等価払い出しを「ギャクリョウガエ」と記載して説明を行う。
【００４２】
図７−１は、１０００円紙幣の入金に対して５００円硬貨と１００円硬貨とで等価交換を行うリョウガエの表示例である。この表示例では、まず数値表示部３１に「１０００」を表示することによって入金額が１０００円であることを表示するとともに、文字表示部３２に「ニュウキン  １，０００エン」、「リョウガエ」と表示することにより、１０００円紙幣を低額金種へ等価交換する処理を行うことを示している。また、この表示例では、上述した表示を行った後に数値表示部３１の表示を切り替え、数値表示部３１において５００円硬貨及び１００円硬貨に対応する部位に「○」を表示する一方、他の貨幣に対応する部位に「−」を表示することにより、低額金種が５００円硬貨と１００円硬貨とを含むものであることを示している。
【００４３】
図７−２は、図７−１と同様に、１０００円紙幣の入金に対して５００円硬貨と１００円硬貨とで等価交換を行うリョウガエの表示例であり、切り替え後の表示が異なっている。すなわち、この表示例では、１０００円紙幣を低額金種へ等価交換する処理を行うことを表示した後、切り替え後の表示では、数値表示部３１において５００円硬貨に対応する部位に「１」、１００円硬貨に対応する部位に「５」を表示する一方、他の貨幣に対応する部位に「−」を表示することにより、低額金種が５００円硬貨１枚と１００円硬貨５枚との組み合せであることを示している。こうした表示例によれば、払い出される貨幣の枚数が把握でき、利用者にとって処理される内容がより明確となる。
【００４４】
図７−３は、１０００円紙幣５枚の入金に対して５０００円紙幣１枚で等価交換を行うギャクリョウガエの表示例である。この表示例では、まず数値表示部３１に「５０００」を表示することによって入金額が５０００円であることを表示するとともに、文字表示部３２に「ニュウキン  ５，０００エン」、「ギャクリョウガエ」と表示することにより、１０００円紙幣５枚を高額金種へ等価交換する処理を行うことを示している。また、この表示例では、上述した表示を行った後に数値表示部３１の表示を切り替え、数値表示部３１において５０００円紙幣に対応する部位に「○」を表示する一方、他の貨幣に対応する部位に「−」を表示することにより、高額金種が５０００円紙幣であることを示している。
【００４５】
上述の切り替え表示が行われている間、図６に示す貨幣両替モード処理において、「実行」スイッチ４３がＯＮ操作されると（ステップＳ２０７：Ｙｅｓ）、制御手段１００は、表示していた貨幣の組み合せによる両替を実施し（ステップＳ２１０）、手順をリターンさせる。両替が実施されると、入出金管理部１０５を通じて硬貨収納庫１０及び紙幣収納庫２０から該当する貨幣が搬出され、装置本体１の硬貨出金口１２や紙幣出金口２２に払い出されることになる。
【００４６】
これに対して切り替え表示が行われている間に「△」スイッチ４１もしくは「▽」スイッチ４２がＯＮ操作されると（ステップＳ２０９：Ｙｅｓ）、制御手段１００は、変数ｎをインクリメント、もしくはデクリメントし（ステップＳ２１２）、手順をステップＳ２０２に移行させる。その後手順がステップＳ２０４→Ｓ２０５→Ｓ２０６に移行するため、２番目の出金金種情報が表示手段３０に表示されることになる。図７−１に示すリョウガエの例では、「▽」スイッチ４２がＯＮ操作された場合、例えば１０００円紙幣の入金に対して１００円硬貨１０枚で等価交換を行うリョウガエの表示が行われる。
【００４７】
尚、切り替え表示が行われている間に「取消」スイッチ４４をＯＮ操作すると（ステップＳ２０８：Ｙｅｓ）、制御手段１００は、投入された貨幣の合計金額に相当する貨幣を硬貨出金口１２や紙幣出金口２２から払い出す処理を実施し（ステップＳ２１１）、手順をリターンさせる。
【００４８】
以降、モード切替操作を実施した後、貨幣のみによる両替メニューを選択し、硬貨投入口１１や紙幣投入口２１から貨幣を投入すれば、両替を行うことが可能となる。この場合、上記金銭処理装置によれば、入金された貨幣に対して払い出される貨幣の金種を表示するようにしているため、順両替や逆両替という用語に左右されることなく、利用者の実施したい処理を容易に、かつ確実に選択することができ、利用者に不信感や煩雑感を与える恐れがない。また、投入した貨幣の数に応じて自動的に順両替及び逆両替が決定されることもないため、例えば複数枚の紙幣を低額硬貨に順両替する場合にもこれをきわめて効率良く行うことができるようになる。
【００４９】
尚、出金金種情報としては、図７−１〜図７−３に示したものに限らず、その他の表示を行っても構わない。例えば図８−１〜図８−３に示す表示例では、両替によって払い出される貨幣が硬貨のみによるものか、紙幣のみによるものか、硬貨と紙幣との組み合わせによるものかを表示するようにしている。
【００５０】
具体的に説明すると、図８−１は、１０００円紙幣の入金に対して硬貨のみの等価交換を行うリョウガエの表示例である。この表示例では、まず数値表示部３１に「１０００」を表示することによって入金額が１０００円であることを表示するとともに、文字表示部３２に「ニュウキン  １，０００エン」、「リョウガエ  Ｃｏｉｎ」と表示することにより、１０００円を硬貨のみによって等価交換するリョウガエを行うことを示している。また、この表示例では、上述した表示を行った後に数値表示部３１の表示を切り替え、数値表示部３１に「ＣｏＩｎ」を表示することにより、１０００円を硬貨のみにリョウガエすることを示している。
【００５１】
図８−２は、５０００円紙幣の入金に対して紙幣のみの等価交換を行うリョウガエの表示例である。この表示例では、まず数値表示部３１に「５０００」を表示することによって入金額が５０００円であることを表示するとともに、文字表示部３２に「ニュウキン  ５，０００エン」、「リョウガエ  ＢＩＬＬ」と表示することにより、５０００円を紙幣のみによって等価交換する処理を行うことを示している。また、この表示例では、上述した表示を行った後に数値表示部３１の表示を切り換え、数値表示部３１に「ｂＩＬＬ」と表示することにより、５０００円を紙幣のみにリョウガエを行うことを示している。
【００５２】
図８−３は、１００００円紙幣の入金に対して硬貨と紙幣との組み合わせによる等価交換を行うリョウガエの表示例である。この表示例では、まず数値表示部３１に「１００００」と表示することによって入金額が１００００円であることを表示するとともに、文字表示部３２に「ニュウキン  １０，０００エン」、「リョウガエ  ＢＩＬＬ＋Ｃｏｉｎ」と表示することにより、１００００円を硬貨と紙幣との組み合せによって等価交換するリョウガエを行うことを示している。また、この表示例では、上述した表示を行った後に数値表示部３１に「ｂＩＬＬ  ＣｏＩｎ」と表示することにより、１００００円を硬貨と紙幣との組み合わせによってリョウガエすることを示している。
【００５３】
（元金払い出し処理）
一方、図６に示した貨幣両替モード処理のステップＳ２０２において入金を確認せず、しかも今回の貨幣両替モード処理において入金が一度もなかった場合であって（ステップＳ２０２：Ｎｏ→ステップＳ２１３：Ｙｅｓ）、さらにステップＳ２０９において「△」スイッチ４１もしくは「▽」スイッチ４２がＯＮ操作され、ステップＳ２１２において変数ｎをインクリメント、もしくはデクリメントすることにより、表示メニューとして出金が指定されていた場合、制御手段１００は、表示手段３０に出金メニューを表示し（ステップＳ２１４）、その後、入力待ちとなる（ステップＳ２１５、ステップＳ２１６）。この状態から「実行」スイッチ４３をＯＮ操作すると（ステップＳ２１５：Ｙｅｓ）、制御手段１００は、元金払い出し処理を実施する（ステップＳ２５０）。尚、ステップＳ２１３、ステップＳ２１４及びステップＳ２１５においてすべてがＮｏの場合、制御手段１００は、元金払い出し処理を行うことなく手順をステップＳ２０４に進める。
【００５４】
図９−１は、上述した出金メニューの表示例である。この表示例では、まず数値表示部３１に「５０００」を表示することによって出金額が５０００円であることを表示するとともに、文字表示部３２に「モトキンハライダシ」、「リョウガエ  ５０００エン」と表示することにより、５０００円をリョウガエの元金として払い出すことを示している。また、この表示例では、上述した表示を行った後に数値表示部３１の表示を切り換え、数値表示部３１において５０００円紙幣に対応する部位に「○」を表示する一方、他の貨幣に対応する部位に「−」を表示することにより、払い出す金種が５０００円紙幣であることを示している。これらのいずれかが表示された状態において「実行」スイッチ４３がＯＮ操作された場合、出金指令が入力されたと判断する。
【００５５】
図１０は、上述した元金払い出し処理の内容を示すフローチャートである。この元金払い出し処理において制御手段１００は、まず、選択した払い出し金額を了解するか否かの入力待ちとなり（ステップＳ２５１）、「実行」スイッチ４３がＯＮ操作された場合（ステップＳ２５１：Ｙｅｓ）、入出金管理部１０５を通じて指令金額に対応する貨幣を硬貨出金口１２及び紙幣出金口２２から払い出す処理を行う（ステップＳ２５２）。その後、制御手段１００は、入出金管理部１０５を通じて硬貨投入口１１及び紙幣投入口２１からの入金を監視する（ステップＳ２５３）。
【００５６】
図９−２は、硬貨出金口１２や紙幣出金口２２から元金を払い出した後の表示手段３０を表示例を示したものである。この表示例では、数値表示部３１に「−５０００」を表示することにより５０００円を入金した時点で収支がゼロとなることを表示するとともに、文字表示部３２に「モトキンニュウキン」、「リョウガエ  −５０００エン」と表示するようにしている。
【００５７】
図１０に示すステップＳ２５３において硬貨投入口１１や紙幣投入口２１からの入金を確認すると（ステップＳ２５３：Ｙｅｓ）、制御手段１００は、硬貨鑑別センサ１５及び紙幣鑑別センサ２５を通じて投入された貨幣の鑑別を行い（ステップＳ２５４）、さらに入出金管理部１０５を通じて（入金額）−（出金額）を算出し、この算出結果を表示手段３０の数値表示部３１に表示する処理を行うとともに（ステップＳ２５５）、等価判定部１０７を通じて（入金額）＝（出金額）であるか否かを判断する（ステップＳ２５６）。（入金額）≠（出金額）である場合（ステップＳ２５６：Ｎｏ）、制御手段１００は、手順をステップＳ２５３に移行し、再び硬貨投入口１１及び紙幣投入口２１からの入金を監視する。
【００５８】
図９−３は、硬貨投入口１１や紙幣投入口２１から入金した途中の表示例を示したものである。この表示例では、５０００円の元金払い出しに対して３０００円を入金した状態のものである。硬貨投入口１１や紙幣投入口２１から３０００円分の貨幣を投入すると、入金管理部によって３０００−５０００＝−２０００が算出され、この算出結果が数値表示部３１に「−２０００」と表示されることになる。文字表示部３２の表示も「モトキンニュウキン」、「リョウガエ  −２０００エン」となる。
【００５９】
図１０に示すステップＳ２５６において（入金額）＝（出金額）となると（ステップＳ２５６：Ｙｅｓ）、制御手段１００は、今回の元金払い出し処理を終了し、手順をリターンさせる。
【００６０】
図９−４は、図９−３に示す表示例から２０００円の貨幣を入金した状態を示すもので、数値表示部３１の表示が「０」となり、文字表示部３２の表示も「モトキンニュウキン」、「リョウガエ  −０エン」となって収支が合ったことを認識することができる。
【００６１】
上述した状況は、例えば、ＰＯＳレジスタ２００に接続した金銭処理装置の相互間において両替を行う場合に、釣銭の不足した金銭処理装置から順両替を行うために必要となる元金（高額金種）を先に出金する場面である。上記のようにして出金した元金を隣接するＰＯＳレジスタ２００の金銭処理装置に入金し、順両替を行えば、出金した高額金種の元金を釣銭となる低額金種に等価交換することができるようになる。さらに、上述した元金払い出し処理においては、釣銭となった低額金種のすべてを元の金銭処理装置に入金しない限り元金払い出し処理が終了しない。従って、先に元金を出金した金銭処理装置に対して入金を忘れたり、入金が不足する事態を防止することが可能となる。
【００６２】
尚、ステップＳ２５７において「取消」スイッチ４４をＯＮ操作すれば、上述した処理を行うことなく手順がリターンされ、一旦選択した元金払い出し処理をキャンセルすることができる。
【００６３】
尚、上述した実施の形態では、１つの制御手段１００によって硬貨、紙幣の入出金を集中制御するようにしているが、本発明は必ずしもこれに限定されない。例えば図１１の変形例に示すように、硬貨処理部及び紙幣処理部がそれぞれ専用の制御手段１００Ａ，１００Ｂを備えるように構成することも可能である。さらに、紙幣処理部を硬貨処理部とは別個の筐体に収容し、硬貨処理部に対して紙幣処理部を着脱可能に接続させれば、硬貨処理部のみを備えた金銭処理装置を構成することも可能となる。尚、図１１の変形例において上述した実施の形態と同様の構成に関しては、同一の符号を付してある。
【図面の簡単な説明】
【００６４】
【図１−１】本発明の実施の形態である金銭処理装置の外観を示す平面図である。
【図１−２】図１に示した金銭処理装置の正面図である。
【図２】図１に示した金銭処理装置に適用される表示手段及び入力手段の拡大図である。
【図３】図１に示した金銭処理装置の制御系を示すブロック図である。
【図４】図３に示した制御手段が実施するメイン処理の内容を示すフローチャートである。
【図５】図４に示した釣銭モード処理の内容を示すフローチャートである。
【図６】図４に示した貨幣両替モード処理の内容を示すフローチャートである。
【図７−１】図３に示した制御手段によって表示制御された出金金種情報の表示例を示す図である。
【図７−２】図３に示した制御手段によって表示制御された出金金種情報の表示例を示す図である。
【図７−３】図３に示した制御手段によって表示制御された出金金種情報の表示例を示す図である。
【図８−１】図３に示した制御手段によって表示制御された出金金種情報の表示例を示す図である。
【図８−２】図３に示した制御手段によって表示制御された出金金種情報の表示例を示す図である。
【図８−３】図３に示した制御手段によって表示制御された出金金種情報の表示例を示す図である。
【図９−１】図３に示した制御手段によって表示制御された出金メニューの表示例を示す図である。
【図９−２】図３に示した制御手段によって表示制御された出金メニューの表示例を示す図である。
【図９−３】図３に示した制御手段によって表示制御された出金メニューの表示例を示す図である。
【図９−４】図３に示した制御手段によって表示制御された出金メニューの表示例を示す図である。
【図１０】図６に示した元金払い出し処理の内容を示すフローチャートである。
【図１１】図１に示した金銭処理装置の変形例となる制御系を示すブロック図である。
【符号の説明】
【００６５】
１      装置本体
１０      硬貨収納庫
１１      硬貨投入口
１２      硬貨出金口
１５      硬貨鑑別センサ
２０      紙幣収納庫
２１      紙幣投入口
２２      紙幣出金口
２５      紙幣鑑別センサ
３０      表示手段
３１      数値表示部
３２      文字表示部
４０      入力手段
１００      制御手段
【図１−１】
2010039584.tif 000003
【図１−２】
2010039584.tif 000004
【図２】
2010039584.tif 000005
【図３】
2010039584.tif 000006
【図４】
2010039584.tif 000007
【図５】
2010039584.tif 000008
【図６】
2010039584.tif 000009
【図７−１】
2010039584.tif 000010
【図７−２】
2010039584.tif 000011
【図７−３】
2010039584.tif 000012
【図８−１】
2010039584.tif 000013
【図８−２】
2010039584.tif 000014
【図８−３】
2010039584.tif 000015
【図９−１】
2010039584.tif 000016
【図９−２】
2010039584.tif 000017
【図９−３】
2010039584.tif 000018
【図９−４】
2010039584.tif 000019
【図１０】
2010039584.tif 000020
【図１１】
2010039584.tif 000021